(57)【特許請求の範囲】
【請求項１】
周壁と、該周壁内における上方に位置し、電子部品が装着される上段側部品装着部と、前記周壁内における前記上段側部品装着部の下方に位置し、電子部品が装着される下段側部品装着部と、が設けられたフレームを備えた電気接続箱において、
前記上段側部品装着部の一部と前記周壁の一部とが一体に設けられかつ前記フレームのその余の部分に着脱可能とされており、
前記上段側部品装着部の前記一部の下方に前記下段側部品装着部が位置している
ことを特徴とする電気接続箱。
【発明の詳細な説明】
【技術分野】
【０００１】
本発明は、自動車に搭載されて、主に電源分配を行う電気接続箱に関するものである。
【背景技術】
【０００２】
自動車に搭載される電気接続箱には様々な構造のものがあるが、例えば、特許文献１に開示されているように、枠状のケース本体（２）と、電子部品が装着される複数のカセットブロック（３，４）と、を有し、一方のカセットブロック（３）がケース本体（２）内の上方に取り付けられ、他方のカセットブロック（４）がケース本体（２）内における一方のカセットブロック（３）の下方に取り付けられた構造の電気接続箱（１）が公知である。
【０００３】
上記電気接続箱（１）は、カセットブロック（３，４）を上下二段に重ねることで、水平投影面積を増大させることなく電子部品の搭載個数を増加させることができる。また、下段側のカセットブロック（４）に装着された電子部品のメンテナンスを行う際は、上段側のカセットブロック（３）をケース本体（２）の上方にずらしてケース本体（２）から取り外すことで、下段側のカセットブロック（４）をケース本体（２）から取り外さずとも電子部品のメンテナンス作業を行うことができる。
【先行技術文献】
【特許文献】
【０００４】
【特許文献１】特開２０１１−１０５１４号公報
【発明の概要】
【発明が解決しようとする課題】
【０００５】
上記特許文献１の電気接続箱（１）においては、下段側のカセットブロック（４）をケース本体（２）から取り外さずとも電子部品のメンテナンス作業を行うことができるという利点があるものの、下段側のカセットブロック（４）がケース本体（２）内の深い位置に位置しているので、ケース本体（２）の間口が狭い場合などは、ケース本体（２）内に手や工具を挿入し難く、メンテナンス作業が困難であるという問題があった。
【０００６】
したがって、本発明は、上段側部品装着部及び下段側部品装着部が設けられたフレームを備えた電気接続箱において、下段側部品装着部に装着された電子部品のメンテナンス作業を容易に行うことができる電気接続箱を提供することを目的とする。
【課題を解決するための手段】
【０００７】
請求項１に記載された発明は、周壁と、該周壁内における上方に位置し、電子部品が装着される上段側部品装着部と、前記周壁内における前記上段側部品装着部の下方に位置し、電子部品が装着される下段側部品装着部と、が設けられたフレームを備えた電気接続箱において、前記上段側部品装着部の一部と前記周壁の一部とが一体に設けられかつ前記フレームのその余の部分に着脱可能とされており、前記上段側部品装着部の前記一部の下方に前記下段側部品装着部が位置していることを特徴とする電気接続箱である。
【発明の効果】
【０００８】
請求項１に記載された発明によれば、前記上段側部品装着部の一部と前記周壁の一部とが一体に設けられかつ前記フレームのその余の部分に着脱可能とされており、前記上段側部品装着部の前記一部の下方に前記下段側部品装着部が位置しているので、下段側部品装着部に装着された電子部品のメンテナンス作業を行う際、上段側部品装着部の一部及び周壁の一部から成る部品をフレームのその余の部分から取り外すことにより、下段側部品装着部を囲む周壁の一部がなくなり、周壁内の下方に手や工具を入れ易くなる。よって、下段側部品装着部に装着された電子部品のメンテナンス作業を容易に行うことができる。
【図面の簡単な説明】
【０００９】
【図１】本発明の一実施形態にかかる電気接続箱の斜視図である。
【図２】図１に示された電気接続箱の平面図である。
【図３】図１に示された分割部をフレーム本体から取り外した状態を示す斜視図である。
【図４】図３に示された下段側部品装着部からリレーを取り外した状態を示す斜視図である。
【発明を実施するための形態】
【００１０】
本発明の一実施形態にかかる「電気接続箱」を図１〜４を参照して説明する。図１に示す電気接続箱１は、自動車に搭載されて、主に電源分配を行うものである。この電気接続箱１は、合成樹脂製のフレーム２と、フレーム２に取り付けられる複数の電子部品１０〜１３と、フレーム２の下面側に取り付けられる合成樹脂製のロアカバー３と、フレーム２の上面側に取り付けられる合成樹脂製のアッパカバー（不図示）と、を備えている。
【００１１】
上記フレーム２には、枠状の周壁２０と、該周壁２０内における上方に位置し、複数の電子部品１０，１１，１２が装着される上段側部品装着部２１と、周壁２０内における上段側部品装着部２１の下方に位置し、複数の電子部品１３が装着される下段側部品装着部２２と、が設けられている。また、フレーム２は、周壁２０の大部分を有するフレーム本体（請求項の「フレームのその余の部分」に相当する。）４に、複数のブロック５ａ，５ｂ，５ｃ，５ｄ、サイドカバー６、分割部７、等が組み付けられて構成されている。
【００１２】
上記各ブロック５ａ，５ｂ，５ｃには、各電子部品１０，１１が装着される部品装着部が複数設けられている。これらブロック５ａ，５ｂ，５ｃは、フレーム本体４の内側かつ上方に組み付けられて、上段側部品装着部２１を構成する。これらブロック５ａ，５ｂ，５ｃは、周壁２０を含んでいない。本発明において、「上段側部品装着部２１」とは、フレーム２の上段側に設けられた複数の部品装着部の全体と定義する。
【００１３】
上記複数のブロック５ｄには、各電子部品１３が装着される部品装着部が複数設けられている。これら複数のブロック５ｄは、フレーム本体４の内側かつ下方に組み付けられて、下段側部品装着部２２を構成する。これら複数のブロック５ｄは、周壁２０を含んでいない。本発明において、「下段側部品装着部２２」とは、フレーム２の下段側に設けられた複数の部品装着部の全体と定義する。また、この電気接続箱１においては、各ブロック５ｄにリレー１３が装着される部品装着部が二つずつ設けられており、三つのブロック５ｄによって下段側部品装着部２２が構成されている。
【００１４】
上記サイドカバー６は、周壁２０に形成された切り欠き部２３に位置付けられるものである。
【００１５】
上記分割部７は、上段側部品装着部２１の一部２１ａと周壁２０の一部２０ａとが一体に設けられたものである。図２に示すように、この電気接続箱１においては、上段側部品装着部２１の一部２１ａには、コネクタ１２が装着される部品装着部が三つと、リレー１１が装着される部品装着部が一つ含まれている。周壁２０の一部２０ａには、係止受け部８が二つ設けられている。これら係止受け部８は、フレーム本体４に設けられた係止部９が係止する。分割部７は、フレーム本体４に組み付けられる際、係止受け部８に係止部９が係止することでフレーム本体４に固定される。また、上記下段側部品装着部２２は、分割部７の下方に位置している。
【００１６】
上記構成の電気接続箱１において、下段側部品装着部２２に装着されたリレー１３の交換を行う際は、図３，４に示すように、係止受け部８と係止部９との係止を解除して分割部７をフレーム本体４から取り外し、該分割部７を上方に持ち上げるなどして（分割部７の下面から電線が引き出されているため）リレー１３の交換を行う。
【００１７】
このように、電気接続箱１においては、下段側部品装着部２２の上方に位置する上段側部品装着部２１の一部２１ａ及び周壁２０の一部２０ａを分割部７としてフレーム本体４から分割した構造であるので、下段側部品装着部２２に装着されたリレー１３のメンテナンス作業を行う際、分割部７をフレーム本体４から取り外すことにより、下段側部品装着部２２を囲む周壁２０の一部２０ａがなくなり、周壁２０内の下方に手や部品取り外し工具などを入れ易くなる。よって、リレー１３のメンテナンス作業を容易に行うことができる。
【００１８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００１９】
１  電気接続箱
２  フレーム
４  フレーム本体（フレームのその余の部分）
７  分割部
２０  周壁
２１  上段側部品装着部
２２  下段側部品装着部
【図１】
0006045075.tif 000002
【図２】
0006045075.tif 000003
【図３】
0006045075.tif 000004
【図４】
0006045075.tif 000005